(57)【要約】【課題】団扇の扇部に太陽光発電装置を設け、柄の部分に蓄電池を設け、当該蓄電池から様々な用途の各種機器を充電する機能を設けた太陽光発電機能付き団扇を提供する。【解決手段】団扇の扇部（１）に太陽光発電装置（２）を設け、柄（３）に太陽光発電装置（２）又は太陽光発電装置（２）以外の他の電源から得られた電気を蓄電するための蓄電池（４）及び太陽光発電装置（２）以外の他の電源から得られた電気を蓄電池（４）に蓄電するための入力用接続部（５）並びに各種充電対象機器を充電するための出力用接続部（６）、各種充電対象機器の充電状況と蓄電池（４）の蓄電状況がわかる表示部（７）、本発明の蓄電池（４）を電源とする発光部（８）、各種充電対象機器を接続し充電開始するための機能と発光部（８）を点灯するためのスイッチ（９）を設けたことを特徴とする。【選択図】図１
2014217489.tif 000002
【特許請求の範囲】
【請求項１】
団扇の扇部（１）に太陽光発電装置（２）を設け、柄（３）に太陽光発電装置（２）又は太陽光発電装置（２）以外の他の電源から得られた電気を蓄電するための蓄電池（４）及び当該蓄電池（４）に太陽光発電装置（２）以外の他の電源から得られた電気を蓄電するための入力用接続部（５）並びに各種充電対象機器を充電するための出力用接続部（６）、各種充電対象機器の充電状況と蓄電池（４）の蓄電状況がわかる表示部（７）、本発明の蓄電池（４）を電源とする発光部（８）、各種充電対象機器を接続し充電開始するための機能と発光部（８）を点灯するためのスイッチ（９）を設けたことを特徴とする太陽光発電機能付き団扇
【発明の詳細な説明】
【技術分野】
【０００１】
本発明は、団扇の扇部に薄型の太陽光発電装置を設け、柄の部分に蓄電池を設け、当該蓄電池から様々な用途の各種機器を充電する機能を設けた太陽光発電機能付き団扇に関するものである。
【背景技術】
【０００２】
従来、団扇は風を起こす機能が主なもので、日除けや虫を払う用途及び扇部分の画像描写、文章記述、形態の工夫などによるデザイン性の追求並びに広告宣伝等の伝達手段としての用途は副次的な機能であり、太陽光発電及び蓄電池の機能はなかった。また、市販されている太陽光発電機能付きの携帯用小型充電装置は、携帯性や小型化との兼ね合いからパネル面積が狭くなりがちで、太陽光による充電に時間が掛かるか、若しくは十分に太陽光発電の機能を発揮できないという状況にあった。
【先行技術文献】
【非特許文献】
【０００３】
【非特許文献１】パナソニックLEDライト／ポータブル電源2012カタログ p1〜p4
【非特許文献２】株式会社グリーンハウスの商品  マルチソーラーチャージャー  規格番号  ＧＨ−ＳＣ２０００−８ＡＫの取扱説明書
【発明の概要】
【発明が解決しようとする課題】
【０００４】
従来の団扇は、風を起こすことが主たる機能として捉えられており、扇部分の形態やイラスト等の描写でデザイン性の追求により又は広告宣伝媒体としてメッセージを発信することなどは副次的な機能であった。故に団扇を使用しない間の扇部分の用途も限定的なものであった。
【０００５】
さらに、ここ数年、ユビキタス社会の到来と共に携帯情報端末の機能は目覚ましい発展を遂げたものの、当該端末その物の消費電力も上がり稼働時間に対する要望が高まっている。
【０００６】
加えて、東日本大震災以降、災害対応等の緊急用電源の必要性や需要も高まり、携帯情報端末に限らず、様々な分野、用途で、充電を必要とする機器も増えている。
【０００７】
また、現在も太陽電池の小型化、薄型化の研究は進んでいるが、商用化までに時間が掛かったり、従来の電気変換効率に及ばなかったりと試行錯誤が続いている。そうした技術的課題への試行錯誤を背景にして、これまでに様々な太陽光発電機能付きの携帯用小型充電装置が市販されてきたが、携帯性や小型化との兼ね合いからパネル面積が狭くなりがちで、太陽光による充電に時間が掛かるか、若しくは十分に太陽光発電の機能を発揮できず、太陽光発電機能を高める為には、どうしてもパネル面積を広くする必要があった。
【０００８】
さらには、ここ数十年、世界的に環境意識の高まりは見られていたが、特に東日本大震災以降、原子力発電に対する考え方や節電など国民意識の変革もあり、今日、従来よりも幅広い自然エネルギー、再生可能エネルギーによる電力の活用が喫緊の課題となっている。
【０００９】
本発明は、以上に掲げたような欠点や課題を解決するためになされたものである。
【課題を解決するための手段】
【００１０】
団扇の扇部（１）に太陽光発電装置（２）を設け、柄（３）に太陽光発電装置（２）又は太陽光発電装置（２）以外の他の電源から得られた電気を蓄電するための蓄電池（４）を設ける。
【００１１】
太陽光発電装置（２）以外の他の電源から得られた電気を蓄電池（４）に蓄電するための入力用接続部（５）を設ける。
【００１２】
各種充電対象機器を充電するための出力用接続部（６）を設ける。
【００１３】
各種充電対象機器の充電状況及び蓄電池（４）の蓄電状況がわかる表示部（７）を設ける。
【００１４】
本発明の蓄電池（４）を電源とする発光部（８）を設ける。
【００１５】
各種充電対象機器を接続し充電開始するための機能及び発光部（８）を点灯するためのスイッチ（９）を設ける。
【００１６】
本発明は、以上の構成よりなる太陽光発電機能付き団扇である。
【発明の効果】
【００１７】
本発明は、災害などが起こった際に、従来の風を起こす機能だけでなく、携帯性に優れる緊急用電源としての実用性がある。
【００１８】
さらに、電気を本発明の蓄電装置に溜めることができるため、野外フェスやアウトドアなどの屋外において、季節に関わらず携帯性に優れる補充用電源としての利便性もある。
【００１９】
また、風を起こす機能の使用、不使用に関わらず、太陽光発電の機能する光があれば、発電機能は持続する。このため、幅広い扇部の面積を効果的に利用した太陽光発電により、風を起こす機能を使用していない間も有用性のある道具になる。
【００２０】
また、扇部分の副次的な機能としては、イラストの描写、文章の記述、形態の工夫などからデザイン性を追求しての又は広告宣伝媒体としてのメッセージの発信利用が考えられ普及していたが、太陽光発電という機能そのものが、環境保護や節電への啓発及び自然エネルギー、再生可能エネルギーなどの利用促進といったメッセージ性を含んでいる。
【００２１】
また、発電能力との兼ね合いもあるが、従来通り絵や文字を入れ、形を工夫することも可能なので、従来以上に販促物品や広告宣伝としての効果も期待できる。
【００２２】
さらに、太陽電池の小型化、薄型化の研究は日進月歩しつつ、技術的な課題から試行錯誤も続いており、そうした中、既存の技術の組み合わせではあるが、一定の商用化水準を達成した汎用性の高い革新的技術と古くからの伝統的な産物との融合で、従来の製品の欠点を補い付加価値を向上させ、クリーンで経済的な再生可能エネルギーを、より一層幅広く普及させることができる。
【図面の簡単な説明】
【００２３】
【図１】本発明の斜視図である。
【図２】太陽光発電パネルを扇部両面に実装した実施例で、太陽光発電パネルを展開した本発明の斜視図である。
【図３】図２をもう片方の面から見て、太陽光発電パネルを閉じ、柄の蓄電池収納部の蓋を開けた状態の本発明の斜視図である。
【図４】デザイン性を加味した実施例による本発明の斜視図である。
【図５】図４の団扇の太陽光発電パネルのある、もう片方の面から見た本発明の斜視図である。
【発明を実施するための形態】
【００２４】
以下、本発明を実施するための形態について説明する。
【００２５】
団扇の扇部（１）に薄型の太陽光発電装置（２）を設け、柄（３）に薄型の太陽光発電装置（２）又は、太陽光発電装置（２）以外の他の電源から得られた電気を蓄電する蓄電池（４）を設ける。
【００２６】
この蓄電池（４）は、一般的に普及している他の充電機器でも充電できる着脱可能な円筒型単電池規格の充電式ニッケル水素電池の形態（図２）（図３）、又は着脱を想定しない柄（３）に固定式のリチウムイオン二次電池の形態（図１）（図４）（図５）とする。その他上記以外の商用化ベースの蓄電池規格の形態も考えられる。
【００２７】
太陽光発電装置（２）以外の他の電源からの電気を蓄電池（４）に蓄電するための入力用接続部（５）を柄（３）に設ける。
蓄電池（４）から様々な分野、用途の各種機器を充電するための出力用接続部（６）を柄（３）に設ける。
入力用接続部（５）、出力用接続部（６）にはキャップを設ける。
入力用接続部（５）は、miniＵＳＢソケット、出力用接続部（６）は、ＵＳＢソケットの形態とする。
また、入力用接続部（５）、出力用接続部（６）には、ＤＣジャックなど他の商用化ベースの形態も考えられる。
【００２８】
蓄電池（４）に蓄電中の電気が太陽光発電装置（２）又は太陽光発電装置（２）以外の他の電源のどちらによるものなのか及び各種充電対象機器への充電状況がわかる表示部（７）を柄（３）に設ける。
表示部（７）には、一例として、太陽マークのランプ点灯で蓄電池（４）に、太陽光による蓄電、稲妻マークのランプ点灯で蓄電池（４）に、家庭用コンセントなどからの蓄電、両マークとも消灯の際は蓄電中でないと判断できる形態とする。また、充電マークのゲージ目盛で大まかに蓄電池（４）の蓄電池量を判別でき、目盛いっぱいの緑色ランプ点灯で蓄電池（４）が満充電、赤色で各種充電対象機器に充電中、消灯で各種充電対象機器へ充電を行っておらず、蓄電池（４）の蓄電池量がないと識別できる形態とする。
【００２９】
また、本発明の蓄電池（４）を電源とする発光部（８）を設ける。
発光部（８）は、暗闇、夜間における懐中電灯の代用としての機能があり、LEDその他商用化ベースの形態とする。
【００３０】
各種充電対象機器に充電開始するための機能と発光部（８）を点灯させる機能を兼ねたスイッチ（９）を設ける。
【００３１】
本発明は、以上のような構造である。
【００３２】
他の実施形態例を説明する。
【００３３】
（図２）（図３）のように両面に太陽光発電装置（２）を設け、太陽光による蓄電の際には太陽光発電装置（２）のパネルを展開して光を受ける面積を拡大しより効率的に発電し、蓄電池（４）に蓄電を行える形態としてもよい。
【００３４】
（図２）（図３）では密着用ボタン（10）としているが、密着用のチャックやファスナー、ジッパーなどにより留める形態としてもよい。
【００３５】
（図４）（図５）のように、パンダなど動物やキャラクターなどデザイン性のある団扇に実装する形態としてもよい。
【００３６】
本発明を使用するときは、従来の団扇の風を起こす機能の使用不使用に関わらず、太陽光発電装置（２）で発電した電気又は太陽光発電装置（２）以外の他の電源からの電気、例えば、家庭用コンセントや電源の入っているパソコン機器等を経由した電気を蓄電池（４）に蓄電する。
【００３７】
蓄電の際は、上記の一例のように表示部（７）で蓄電状況が把握できる。
【００３８】
また、入力用接続部（５）に何も繋がれず、光源が太陽光発電装置（２）に当たっている状況ならば、太陽光発電装置（２）の発電による蓄電であるが、入力用接続部（５）から電気が流れ込むと太陽光発電装置（２）以外の他の電源からの蓄電に切り替わるものとする。
【００３９】
各種充電対象機器を充電の際は、スイッチ（９）を押して表示部（７）の充電マークを赤色点灯し、出力用接続部（６）から各種充電対象機器を接続し充電する。
【００４０】
接続方法としては、出力用接続部（６）に取り付けた接続ケーブルの反対側の接続部を、各種充電対象機器に応じてコネクタを換装できる形態とし、当該コネクタを各種充電対象機器に接続する。
【００４１】
本発明の蓄電池（４）を電源とする発光部（８）を発光させる際は、スイッチ（９）を押して発光させる。スイッチ（９）の機能としては、一回押して、発光部（８）点灯、更にもう一回押して表示部（７）充電マークの赤ランプ点灯、出力用接続部（６）出力による充電とする。
【００４２】
蓄電池（４）が、着脱可能な円筒型単電池規格の充電式ニッケル水素電池の形態（図２）（図３）の場合は、（図３）のように、柄（３）の蓋（11）を開けて充電式ニッケル水素電池を取り出し、他の機器の電源として利用可能である。
【００４３】
既存の技術の組み合わせにより、従来の製品の欠点を補い付加価値を向上させる目的から、上記の形態、使用方法、実施例に記載の太陽光発電装置（２）やその他の電源による蓄電池（４）への蓄電、蓄電池（４）からの各種充電対象機器への充電、入力用接続部（５）、出力用接続部（６）、表示部（７）、発光部（８）、スイッチ（９）の機能、方式については、先行技術文献に記載した今日一般に商用化されている太陽光発電機能付きの携帯用小型充電装置を各種、参考にさせて頂いている。
【００４４】
ただし、団扇の扇部を利用した太陽光発電という要件を逸脱しない限り、商用化において、蓄電池（４）表示部（７）発光部（８）スイッチ（９）の簡略、省略も可能である。
【００４５】
例えば、軽量化や費用対効果、販売戦略などの観点から必要に応じ、団扇と別にする形態で、蓄電池（４）、入力用接続部（５）を設けず、太陽光発電装置（２）の電気を出力用接続部（６）から直接に各種充電対象機器を充電する形態としてもよい。
【００４６】
また、表示部（７）も、上記の他、蓄電状況等が判別可能な別の形態としてもよい。
【００４７】
また、発光部（８）を扇部（１）に設ける形態としてもよい。
【００４８】
また、スイッチ（９）を設けず、充電対象機器が接続されたら自動的に充電開始する形態としてもよい。
【符号の説明】
【００４９】
１  団扇の扇部
２  太陽光発電装置
３  柄
４  蓄電池
５  入力用接続部
６  出力用接続部
７  表示部
８  発光部
９  スイッチ
10  密着用ボタン
11  蓋
【図１】
2014217489.tif 000003
【図２】
2014217489.tif 000004
【図３】
2014217489.tif 000005
【図４】
2014217489.tif 000006
【図５】
2014217489.tif 000007
【手続補正書】
【提出日】平成26年8月27日(2014.8.27)
【手続補正１】
【補正対象書類名】特許請求の範囲
【補正対象項目名】全文
【補正方法】変更
【補正の内容】
【特許請求の範囲】
【請求項１】
団扇の扇部（１）に、太陽光発電装置（２）を設け、柄（３）に太陽光発電装置（２）又は太陽光発電装置（２）以外の他の電源から得られた電気を蓄電するための蓄電池（４）を設けたことを特徴とする太陽光発電機能付き団扇
【手続補正２】
【補正対象書類名】明細書
【補正対象項目名】００２５
【補正方法】変更
【補正の内容】
【００２５】
団扇の扇部（１）に、薄型の太陽光発電装置（２）を貼り合わせ、柄（３）に薄型の太陽光発電装置（２）又は、太陽光発電装置（２）以外の他の電源から得られた電気を蓄電する蓄電池（４）を設ける。ここで言う団扇の扇部（１）に、薄型の太陽光発電装置（２）を貼り合わせるというのは、団扇の扇部（１）の紙のような繊維体やプラスチックなどの素材に薄型の太陽光発電装置（２）を埋め込むという複雑な製造方法ではなく、文字通り貼り合わせるという単純な製造方法による。